(57)【要約】【課題】  開閉自在な前面カバーを備え且つ前方から操作される記録装置において、前面カバーの開閉構造を備えることによる利便性の低下を防止し、装置の信頼性又は操作性を向上させる。【解決手段】  プリンタ１は、ケーシング１０と、ケーシング１０の前側の開口３０を開閉自在に覆う前面カバー３１とを備えている。プリンタ１の制御回路は、主制御回路と、前面カバー３１の開閉を検知する開閉センサ７１と、メモリとを備えている。主制御回路は、前面カバー３１が開いた状態で記録動作が指示されると、その指示をメモリに一時的に蓄え、前面カバー３１が閉じられてから記録動作を開始する。【選択図】  図１
2005205647.tif 000002
【特許請求の範囲】
【請求項１】
前側に開口が形成された略箱状のケーシングと、
前記ケーシング内に配置され、記録媒体に記録を行う記録機構と、
前記ケーシングの前側に設けられ、少なくとも前記開口を開閉自在に覆う前面カバーと、
前記前面カバーの開閉状態を検知する開閉検知手段と、
前記前面カバーが開いた状態で前記記録機構による記録動作を指示する記録動作指令を受けると、前記前面カバーが閉じられるまで前記記録動作指令を保持し、前記前面カバーが閉じられた後に前記記録機構に記録動作を実行させる制御手段と、
を備えた記録装置。
【請求項２】
前記ケーシングの前方に突出する突出状態と前記ケーシング内に収納される収納状態との間で前後に伸縮又は移動自在な排出トレイと、
前記排出トレイが突出状態になると前記前面カバーの開放を禁止する開閉禁止手段と、を備えた請求項１に記録装置。
【請求項３】
前側に開口が形成された略箱状のケーシングと、
前記ケーシング内に配置され、記録媒体に記録を行う記録機構と、
前記ケーシングの前側に設けられ、少なくとも前記開口を開閉自在に覆う前面カバーと、
前記ケーシングの前方に突出する突出状態と前記ケーシング内に収納される収納状態との間で前後に伸縮又は移動自在な排出トレイと、
前記排出トレイが突出状態になると前記前面カバーの開放を禁止する開閉禁止手段と、
を備えた記録装置。
【請求項４】
前記開閉禁止手段は、前記排出トレイから上方に突出し、前記前面カバーと接触することによって前記前面カバーの開放を阻止するリブによって構成されている請求項２又は３に記載の記録装置。
【請求項５】
前記開閉禁止手段は、前記排出トレイが収納状態になると前記ケーシング内に収納され、前記排出トレイが突出状態になると前記ケーシングから前方に突出し、前方に突出したときに前記前面カバーと接触することによって前記前面カバーの開放を阻止するロックピンによって構成されている請求項２又は３に記載の記録装置。
【請求項６】
前記ケーシングの前方に突出する突出状態と前記ケーシング内に収納される収納状態との間で前後に伸縮又は移動自在な排出トレイと、
前記前面カバーが開いているときに前記排出トレイの収納状態から突出状態への移行を禁止するトレイ突出禁止手段と、
を備えた請求項１に記録装置。
【請求項７】
前側に開口が形成された略箱状のケーシングと、
前記ケーシング内に配置され、記録媒体に記録を行う記録機構と、
前記ケーシングの前側に設けられ、少なくとも前記開口を開閉自在に覆う前面カバーと、
前記ケーシングの前方に突出する突出状態と前記ケーシング内に収納される収納状態との間で前後に伸縮又は移動自在な排出トレイと、
前記前面カバーが開いているときに前記排出トレイの収納状態から突出状態への移行を禁止するトレイ突出禁止手段と、
を備えた記録装置。
【請求項８】
前記トレイ突出禁止手段は、前記前面カバーの裏側から上方又は後方に突出し、前記排出トレイと接触することによって前記排出トレイの前方への突出を阻止するリブによって構成されている請求項６又は７に記載の記録装置。
【請求項９】
前記トレイ突出禁止手段は、前記前面カバーが開くと前記排出トレイと係合して前記排出トレイの伸縮又は移動を阻止し、前記前面カバーが閉じられると前記排出トレイとの係合が解かれるロック機構によって構成されている請求項６又は７に記載の記録装置。
【請求項１０】
前記ケーシングの前方に突出する突出状態と前記ケーシング内に収納される収納状態との間で前後に伸縮又は移動自在な排出トレイと、
前記排出トレイが突出状態か収納状態かを検知する排出トレイ検知手段と、を備え、
前記制御手段は、前記前面カバーが開いた状態で前記記録動作指令を受けると、前記前面カバーが閉じられた後、前記排出トレイが収納状態のときには記録動作を実行させず、前記排出トレイが突出状態のときには記録動作を実行させる請求項１に記載の記録装置。
【請求項１１】
前記記録機構は、前記ケーシング内において左右方向に延びるキャリッジ軸と、前記キャリッジ軸に沿って左右方向に往復移動するキャリッジと、前記キャリッジに搭載された記録ヘッドとを備え、
前記キャリッジ軸の一方又は両方の端部は、非記録時に前記キャリッジが待機するホームポジションをなし、
前記制御手段は、前記記録機構の記録動作中に前記前面カバーが開放されると、前記キャリッジが前記ホームポジションに移動するまで記録動作を継続させ、前記キャリッジが前記ホームポジションに到達すると記録動作を停止させる請求項１〜１０のいずれか一つに記載の記録装置。
【請求項１２】
画像表示装置又は音声出力装置に対して有線又は無線により信号を少なくとも送信する信号出力回路を備え、
前記制御手段は、前記前面カバーが開いた状態になると、前記信号出力回路を通じて前記画像表示装置又は前記音声出力装置に信号を送信し、前記画像表示装置又は前記音声出力装置に所定の情報を通知させる請求項１〜１１のいずれか一つに記載の記録装置。
【請求項１３】
前記制御手段は、前記前面カバーが開いた状態のときに前記記録動作指令を受けると、前記画像表示装置又は前記音声出力装置に、前記前面カバーが閉じられると記録動作を開始する旨の情報を通知させる請求項１２に記載の記録装置。
【請求項１４】
前記ケーシング内に設置され、複数のインクカートリッジを保持するカートリッジホルダと、
前記インクカートリッジのインク不足を検知するインク不足検知手段とを備え、
前記制御手段は、前記インクカートリッジのいずれかにインク不足が生じているときに前記前面カバーが開かれると、前記画像表示装置又は前記音声出力装置に、どのインクカートリッジにインク不足が生じているかを通知させる請求項１２又は１３に記載の記録装置。
【発明の詳細な説明】
【技術分野】
【０００１】
本発明は、記録装置に関するものである。
【背景技術】
【０００２】
従来より、記録装置は、例えばパーソナルコンピュータ用のプリンタ等として用いられている。ところが、従来の記録装置の多くは、設置場所として十分な広さの空間を必要とするものであった。そのため、従来の記録装置には、パソコンラック等のように、設置面の上方に十分なスペースが確保されている場所にしか設置できないものが多かった。しかし、今後は、プリンタの利用対象はパーソナルコンピュータ等に限らず、例えばテレビやビデオなど、幅広い範囲に拡大していくと考えられている。
【０００３】
そこで、テレビ用ラックやオーディオラック等のように、上方に十分なスペースのない場所にも設置可能なように、薄型のプリンタが提案されている（例えば、特許文献１及び２参照）。この種のプリンタは、オーディオ機器などに対応した形状及び寸法からなる薄型のケーシングを備え、操作ボタン、表示ランプ、給紙カセット、及び排紙トレイ等は、ユーザがケーシングの前方から操作ができるように前側に配置されている。ケーシングの前側には、比較的大きな開口が形成されている。そして、ケーシングには、この開口を開閉自在に覆う前面カバーが取り付けられている。
【０００４】
ケーシング内部に詰まった記録紙を除去するいわゆるジャム処理や、インクカートリッジの交換等の作業は、前面カバーを開放して行われる。すなわち、ジャムが発生した場合やインク切れが生じた場合には、ユーザは前面カバーを開くことによってケーシング内部を露出させる。そして、ケーシングの前側の開口から手を挿入し、詰まった記録紙の除去やインクカートリッジの交換を行う。このように、この種の記録装置では、ケーシングの前側に開口を設けておくことにより、前方からの操作によってジャム処理やインクカートリッジの交換が可能となっている。
【特許文献１】特開２００１−２１３０１９号公報
【特許文献２】特開２００１−２１９６２０号公報
【発明の開示】
【発明が解決しようとする課題】
【０００５】
しかしながら、前方から操作される記録装置にあっては、前面カバーが開閉することに伴って発生する新たな課題があった。
【０００６】
例えば、前面カバーが開いた状態のままで記録動作が行われると、記録ヘッドを搭載したキャリッジがユーザの手と接触し、装置の故障を招くおそれがあった。また、インクカートリッジの交換中に誤って記録動作が行われると、記録ヘッドに向かって空気が吸い込まれ、インク流路内に気泡が溜まるおそれがあった。
【０００７】
また、排紙トレイが前方に引き出された状態で前面カバーが開かれると、排紙トレイと前面カバーとが衝突し、それらの破損を招くおそれがあった。
【０００８】
本願出願人は、前面カバーに表示装置を設けることを考案した。ところが、前面カバーの表面に表示装置を設けた場合、前面カバーを開いた状態では表示装置を見ることができなくなり、インクカートリッジの交換等の作業効率の低下を招くおそれがある。
【０００９】
本発明は、かかる点に鑑みてなされたものであり、その目的とするところは、開閉自在な前面カバーを備え且つ前方から操作される記録装置において、前面カバーの開閉構造を備えることによる利便性の低下を防止し、装置の信頼性又は操作性を向上させることにある。
【課題を解決するための手段】
【００１０】
本発明に係る記録装置は、前側に開口が形成された略箱状のケーシングと、前記ケーシング内に配置され、記録媒体に記録を行う記録機構と、前記ケーシングの前側に設けられ、少なくとも前記開口を開閉自在に覆う前面カバーと、前記前面カバーの開閉状態を検知する開閉検知手段と、前記前面カバーが開いた状態で前記記録機構による記録動作を指示する記録動作指令を受けると、前記前面カバーが閉じられるまで前記記録動作指令を保持し、前記前面カバーが閉じられた後に前記記録機構に記録動作を実行させる制御手段と、を備えたものである。
【００１１】
上記記録装置では、前面カバーが開いた状態で記録動作指令が入力されたとしても、前面カバーが閉じられるまでは記録動作は実行されない。そのため、ユーザが開口から手を挿入したとしても、ユーザの手と記録機構との衝突等は防止される。また、前面カバーが開いた状態のまま記録動作を行うことに伴うジャムの発生も防止される。さらに、記録動作中にインクカートリッジが取り外される等のおそれもなく、インク流路に空気が吸い込まれることは防止される。一方、記録動作指令は、前面カバーが閉じられるまで保持される。そのため、ユーザは、前面カバーを閉じた後、記録動作指令を再び入力する必要がない。したがって、ユーザの手間を省くことができ、装置の利便性が向上する。
【００１２】
前記記録装置は、前記ケーシングの前方に突出する突出状態と前記ケーシング内に収納される収納状態との間で前後に伸縮又は移動自在な排出トレイと、前記排出トレイが突出状態になると前記前面カバーの開放を禁止する開閉禁止手段と、を備えていることが好ましい。
【００１３】
また、本発明に係る他の記録装置は、前側に開口が形成された略箱状のケーシングと、前記ケーシング内に配置され、記録媒体に記録を行う記録機構と、前記ケーシングの前側に設けられ、少なくとも前記開口を開閉自在に覆う前面カバーと、前記ケーシングの前方に突出する突出状態と前記ケーシング内に収納される収納状態との間で前後に伸縮又は移動自在な排出トレイと、前記排出トレイが突出状態になると前記前面カバーの開放を禁止する開閉禁止手段と、を備えたものである。
【００１４】
上記記録装置では、排出トレイが突出状態のとき、すなわち、排出トレイが前方に突出しているときには、開閉禁止手段によって前面カバーの開放は禁止される。したがって、排出トレイが突出状態であるのに拘わらず前面カバーが開かれることは防止される。その結果、排出トレイと前面カバーとの衝突は確実に防止される。
【００１５】
前記開閉禁止手段は、前記排出トレイから上方に突出し、前記前面カバーと接触することによって前記前面カバーの開放を阻止するリブによって構成されていてもよい。
【００１６】
このことにより、簡単な構成によって前面カバーの開放が禁止される。
【００１７】
あるいは、前記開閉禁止手段は、前記排出トレイが収納状態になると前記ケーシング内に収納され、前記排出トレイが突出状態になると前記ケーシングから前方に突出し、前方に突出したときに前記前面カバーと接触することによって前記前面カバーの開放を阻止するロックピンによって構成されていてもよい。
【００１８】
このことにより、簡単な構成によって前面カバーの開放が禁止される。
【００１９】
前記記録装置は、前記ケーシングの前方に突出する突出状態と前記ケーシング内に収納される収納状態との間で前後に伸縮又は移動自在な排出トレイと、前記前面カバーが開いているときに前記排出トレイの収納状態から突出状態への移行を禁止するトレイ突出禁止手段と、を備えていることが好ましい。
【００２０】
また、本発明に係る他の記録装置は、前側に開口が形成された略箱状のケーシングと、前記ケーシング内に配置され、記録媒体に記録を行う記録機構と、前記ケーシングの前側に設けられ、少なくとも前記開口を開閉自在に覆う前面カバーと、前記ケーシングの前方に突出する突出状態と前記ケーシング内に収納される収納状態との間で前後に伸縮又は移動自在な排出トレイと、前記前面カバーが開いているときに前記排出トレイの収納状態から突出状態への移行を禁止するトレイ突出禁止手段と、を備えたものである。
【００２１】
上記記録装置では、前面カバーが開いているときには、トレイ突出禁止手段によって排出トレイの収納状態から突出状態への移行は禁止される。したがって、前面カバーが開いているにも拘わらず排出トレイが前方に引き出されることは防止される。その結果、排出トレイと前面カバーとの衝突は確実に防止される。
【００２２】
前記トレイ突出禁止手段は、前記前面カバーの裏側から上方又は後方に突出し、前記排出トレイと接触することによって前記排出トレイの前方への突出を阻止するリブによって構成されていてもよい。
【００２３】
このことにより、簡単な構成によって排出トレイの突出が禁止される。
【００２４】
前記トレイ突出禁止手段は、前記前面カバーが開くと前記排出トレイと係合して前記排出トレイの伸縮又は移動を阻止し、前記前面カバーが閉じられると前記排出トレイとの係合が解かれるロック機構によって構成されていてもよい。
【００２５】
このことにより、簡単な構成によって排出トレイの突出が禁止される。
【００２６】
前記記録装置は、前記ケーシングの前方に突出する突出状態と前記ケーシング内に収納される収納状態との間で前後に伸縮又は移動自在な排出トレイと、前記排出トレイが突出状態か収納状態かを検知する排出トレイ検知手段と、を備え、前記制御手段は、前記前面カバーが開いた状態で前記記録動作指令を受けると、前記前面カバーが閉じられた後、前記排出トレイが収納状態のときには記録動作を実行させず、前記排出トレイが突出状態のときには記録動作を実行させることが好ましい。
【００２７】
このことにより、前面カバーが閉じられた後であっても、排出トレイが収納状態のときには、記録動作は実行されない。そのため、装置の利便性が向上する。
【００２８】
前記記録機構は、前記ケーシング内において左右方向に延びるキャリッジ軸と、前記キャリッジ軸に沿って左右方向に往復移動するキャリッジと、前記キャリッジに搭載された記録ヘッドとを備え、前記キャリッジ軸の一方又は両方の端部は、非記録時に前記キャリッジが待機するホームポジションをなし、前記制御手段は、前記記録機構の記録動作中に前記前面カバーが開放されると、前記キャリッジが前記ホームポジションに移動するまで記録動作を継続させ、前記キャリッジが前記ホームポジションに到達すると記録動作を停止させることが好ましい。
【００２９】
このことにより、記録中に前面カバーが開かれると、キャリッジがホームポジションに移動するまで記録が行われ、ホームポジション到達後に記録動作は停止される。前面カバーが開いた状態のままキャリッジが往復移動を繰り返すことは防止され、ユーザの手がキャリッジと衝突することは回避される。
【００３０】
前記記録装置は、画像表示装置又は音声出力装置に対して有線又は無線により信号を少なくとも送信する信号出力回路を備え、前記制御手段は、前記前面カバーが開いた状態になると、前記信号出力回路を通じて前記画像表示装置又は前記音声出力装置に信号を送信し、前記画像表示装置又は前記音声出力装置に所定の情報を通知させることが好ましい。
【００３１】
このことにより、前面カバーが開いた状態にあるときに、ユーザは前面カバーを参照しなくても、画像表示装置又は音声出力装置によって、所定の情報を容易に把握することができる。したがって、装置の利便性が向上する。
【００３２】
前記制御手段は、前記前面カバーが開いた状態のときに前記記録動作指令を受けると、前記画像表示装置又は前記音声出力装置に、前記前面カバーが閉じられると記録動作を開始する旨の情報を通知させることが好ましい。
【００３３】
このことにより、ユーザは、前面カバーを閉じることによって記録動作が開始されることを容易に把握することができる。
【００３４】
前記記録装置は、前記ケーシング内に設置され、複数のインクカートリッジを保持するカートリッジホルダと、前記インクカートリッジのインク不足を検知するインク不足検知手段とを備え、前記制御手段は、前記インクカートリッジのいずれかにインク不足が生じているときに前記前面カバーが開かれると、前記画像表示装置又は前記音声出力装置に、どのインクカートリッジにインク不足が生じているかを通知させることが好ましい。
【００３５】
このことにより、ユーザは、画像表示装置又は音声出力装置によって、どのインクカートリッジにインク不足が生じているかを容易に把握することができる。
【発明の効果】
【００３６】
本発明によれば、前面カバーが開いた状態で記録動作指令を受けると、前面カバーが閉じられるまで記録動作指令を保持し、前面カバーが閉じられてから記録動作を実行する。そのため、ユーザがケーシング内に手を挿入したとしても、ユーザの手と記録機構との衝突を防止することができる。また、前面カバーが開いた状態のままでは記録動作が開始されないので、前面カバーが開放状態にあることに起因するジャムの発生を防止することができる。また、記録動作中にインクカートリッジが取り外されることを防止することができる。
【００３７】
また、本発明によれば、排出トレイが突出状態のときには、前面カバーの開放は禁止される。したがって、排出トレイと前面カバーとの衝突を防止することができる。
【００３８】
また、本発明によれば、前面カバーが開いているときには、排出トレイの前方への突出は禁止される。したがって、排出トレイと前面カバーとの衝突を防止することができる。
【００３９】
したがって、本発明によれば、開閉自在な前面カバーを備え且つ前方から操作される記録装置において、利便性、信頼性又は操作性の向上を図ることができる。
【発明を実施するための最良の形態】
【００４０】
以下、本発明の実施形態を図面に基づいて詳細に説明する。
【００４１】
図１及び図２に示すように、実施形態に係る記録装置は、テレビ用ラック５（図２参照）等にも収容容易な薄型のプリンタ１である。本プリンタ１は、前面に操作パネル５０が設けられるとともに、用紙カセット２００が前方に引き出されるように構成されている。本プリンタ１は、テレビ用ラック５等に収容された状態のまま、ユーザによる前方からの操作によって容易に扱われる記録装置である。
【００４２】
ケーシング１０はいわゆる薄型のケーシングであり、上下方向長さが左右方向長さ及び前後方向長さのいずれよりも短い略直方体形状に形成されている。ここでは、上下方向長さは、左右方向長さの１／４以下、前後方向長さの１／３以下となっている。図３に示すように、ケーシング１０の左右方向中央部の前側には、ジャム処理やインクカートリッジ７５０の交換等のための開口３０が形成されている。
【００４３】
ケーシング１０の前板１５の下側には、挿入口２７０が形成されている。図４に示すように、この挿入口２７０には、用紙カセット２００が抜き差し自在に挿入されている。図５（ａ）及び（ｂ）に示すように、用紙カセット２００は、記録前の記録紙を収容する給紙カセット２０６と記録後の記録紙を支持する排紙トレイ２２０とを一体化したものである。排紙トレイ２２０は、給紙カセット２０６の前方に配置されている。
【００４４】
排紙トレイ２２０は、ベーストレイ２０４と、第１トレイ２０１と、第２トレイ２０２と、第３トレイ２０３とが前後に組み立てられることによって構成されている。これらベーストレイ２０４、第１トレイ２０１、第２トレイ２０２、及び第３トレイ２０３は、前後方向にスライド移動自在に組み立てられている。これにより、排紙トレイ２２０は、前後方向に伸縮自在に構成されている。第３トレイ２０３の前端には、取っ手２０５が設けられている。
【００４５】
第１トレイ２０１の左端には、上方に突出し且つ前後方向に細長いリブ２５１が設けられている。ベーストレイ２０４の左端には、リブ２５１を挿通させる溝２５５が形成されている。
【００４６】
なお、本実施形態に係る排紙トレイ２２０は、前後に伸縮するものである。しかし、排紙トレイ２２０の構成は何ら限定されず、他の構成を採用することも勿論可能である。例えば、排紙トレイ２２０は、その全体が前後にスライド移動するものであってもよい。
【００４７】
ケーシング１０の前方には、開口３０を覆う開閉自在な前面カバー３１が設けられている。前面カバー３１の形状及び寸法は特に限定されるものではないが、本実施形態では、前面カバー３１の左右方向長さは、ケーシング１０の左右方向長さに等しい。前面カバー３１の上下方向長さはケーシング１０の上下方向長さよりも短く、ケーシング１０の上下方向長さの約３／４である。前面カバー３１は、ケーシング１０の前面の上側を覆っている。なお、前面カバー３１の開閉機構には周知の開閉機構を用いることができ、例えばヒンジ機構等を用いることができる。
【００４８】
図１に示すように、前面カバー３１の表面には、操作パネル５０が設けられている。操作パネル５０には、例えばＬＥＤ等からなる複数の表示灯１６０と、押しボタン式の操作ボタン１５５とが配置されている。ただし、操作パネル５０の構成は何ら限定されるものではない。
【００４９】
ケーシング１０の前板１５の右下部分には、用紙カセット２００用のカセット取り出しボタン５４が設置されている。ユーザがカセット取り出しボタン５４を押すことにより、用紙カセット２００は前方に排出される。
【００５０】
図３に示すように、ケーシング１０の前板１５の右端部分、すなわち前面カバー３１によって隠されている部分には、いわゆる隠しキー７０が設けられている。ここでは、隠しキー７０は、押しボタン式のスイッチにより構成されている。前板１５の左端部分には、カード式の記録媒体を挿入するための挿入スロット７７が設けられている。
【００５１】
また、前板１５の左側部分には、前面カバー３１の開閉状態を検出する開閉センサ７１が設けられている。開閉センサ７１は、押しボタン式のスイッチによって構成されている。前面カバー３１が閉じている状態では、開閉センサ７１は押し込まれた状態となる。一方、前面カバー３１が開いている状態では、開閉センサ７１は前方に突出した状態となる。したがって、開閉センサ７１の出没状態により、前面カバー３１の開閉状態を容易に検出することができる。
【００５２】
前面カバー３１の裏側には、略円弧状のトレイロック用リブ２７２が固定されている。トレイロック用リブ２７２の後側はケーシング１０内に出没自在に挿入されている。すなわち、トレイロック用リブ２７２は、前面カバー３１が開かれると前方に突出し、前面カバー３１が閉じられると後方に引き込まれる。トレイロック用リブ２７２は、排紙トレイ２２０の左側部分の上方に配置されている。トレイロック用リブ２７２と排紙トレイ２２０とは、上下方向に重なっている。したがって、前面カバー３１が開いた状態では、排紙トレイ２２０の前方への移動はトレイロック用リブ２７２によって規制される。これにより、前面カバー３１を開いた状態での排紙トレイ２２０の引き出しは禁止される。
【００５３】
図示は省略するが、ケーシング１０の内部には、排紙トレイ２２０が前方に引き出されたか否かを検出するトレイ検出センサ７２（図８参照）が設けられている。トレイ検出センサの構成は何ら限定されず、周知の構成を採用することができる。例えば、トレイ検出センサ７２として、ケーシング１０の内部に光反射型又は光透過型の光学式センサを設けておき、この光学式センサによって排紙トレイ２２０の引き出し状態を検出するようにしてもよい。
【００５４】
なお、以下の説明では、排紙トレイ２２０が収納されている状態（図１参照）を収納状態といい、排紙トレイ２２０が前方に突出している状態（図４参照）を突出状態と呼ぶこととする。
【００５５】
次に、プリンタ１の内部構造を簡単に説明する。図６に示すように、ケーシング１０の内部には、記録機構１００と、用紙カセット２００と、パージユニット４００と、電源基板５００と、制御基板６００とが設けられている。
【００５６】
記録機構１００は、インクジェット式の記録ヘッド（図示せず）と、インクタンク１０４と、上記記録ヘッド及びインクタンク１０４を搭載するキャリッジ１０２と、上記記録ヘッドに対向して配置されたプラテン１０３とを備えている。なお、符号２５は、排紙ローラである。
【００５７】
ケーシング１０の内部の左右両側には、前後方向に延びるサイドフレーム２１が設けられている（右側のサイドフレームは図示省略）。サイドフレーム２１のやや前側には、左右方向に延びるキャリッジ軸２３が固定されている。キャリッジ１０２は、図示しない駆動機構によってキャリッジ軸２３に沿って左右に往復移動する。プラテン１０３の中央部分には窪みが形成され、この窪みの中にはスポンジ１０６が設けられている。
【００５８】
パージユニット４００は、キャリッジ軸２３の右側に設置されている。上記記録ヘッドによるインクの吐出動作を行わないときには、キャリッジ１０２はパージユニット４００上において待機する。この際、上記記録ヘッドの記録面は、図示しないキャップによって覆われる。本プリンタ１では、キャリッジ軸２３の右端の位置（すなわち、パージユニット４００の上方の位置）は、記録ヘッド及びキャリッジ１０２のホームポジションとなっている。ただし、キャリッジ軸２３の左端の位置をホームポジションとしてもよく、左右両端の位置をホームポジションとしてもよい。
【００５９】
電源基板５００は、電源回路が形成されたプリント基板である。制御基板６００は、プリンタ１の制御回路が設けられたプリント基板である。制御回路については、後述する。
【００６０】
図３に示すように、記録機構１００の上方には、カートリッジホルダ７００が配置されている。カートリッジホルダ７００は、複数のインクカートリッジ７５０を着脱自在に保持する保持部材である。本プリンタ１では、カートリッジホルダ７００には、ブラック、シアン、イエロー、ライトシアン、マゼンタ、及びライトマゼンタのインクをそれぞれ収容した６つのインクカートリッジ７５０が取り付けられている。図示は省略するが、カートリッジホルダ７００には、各インクカートリッジ７５０にインク不足が生じているか否かを検出するインク不足検出センサ７３（図８参照）が設けられている。なお、インク不足検出センサには、周知のセンサを用いることができる。
【００６１】
次に、図７を参照しながら、プリンタ１の設置例について説明する。本設置例では、プリンタ１は、ＤＶＤレコーダ６と共にテレビ用ラック５に収納されている。ラック５の上には、テレビ７が設置されている。ラック５の前側には、ガラス扉８が設けられている。ラック５の後側には、電源コードや信号線９を挿通させる開口４が形成されている。プリンタ１及びＤＶＤレコーダ６は、信号線９を介してテレビ７に接続されている。ただし、プリンタ１は、テレビ７に対する信号の送信を、無線によって実行するように構成されていてもよい。
【００６２】
図８に示すように、プリンタ１の制御回路は、主制御回路３１０と、メモリ３０４と、テレビ用の出力回路７４とを備えている。出力回路７４は、プリンタ１の状態や動作等の情報をテレビ７の画面に表示させるものである。なお、出力回路７４は、テレビ７の画面表示に代えて又は画面表示と共に、プリンタ１の状態や動作等の情報を、テレビ７のスピーカを通じて音声にて通知するようにしてもよい。
【００６３】
開閉センサ７１とトレイ検出センサ７２とインク不足検出センサ７３とは、主制御回路３１０に接続され、主制御回路３１０に対して検出信号を常時送信するようになっている。これにより、主制御回路３１０は、前面カバー３１の開閉状態と、排紙トレイ２２０の突出状態又は収納状態と、インクカートリッジ７５０のインク不足の状況とを、常に把握している。
【００６４】
次に、プリンタ１の制御について説明する。
【００６５】
記録動作を開始する際には、ユーザは、操作ボタン１５５を操作し、又はリモコン（リモートコントローラ）を操作することにより、記録動作を指示する。記録動作の指示は記録動作指令となって主制御回路３１０に入力される。図９に示すように、記録動作指令を受けた主制御回路３１０は、ステップＳ１において、排紙トレイ２２０が突出状態（すなわち、前方に引き出された状態）か否かを判断する。
【００６６】
排紙トレイ２２０が収納状態の場合には、ステップＳ４に進み、操作パネル５０の表示部又はテレビ画面において、所定のメッセージを表示する。例えば、「排紙トレイ２２０が引き出されていません。排紙トレイ２２０を引き出して下さい。」等のメッセージを表示する。
【００６７】
ステップＳ１において、排紙トレイ２２０が突出状態にあると判定されると、ステップＳ２に進む。ステップＳ２では、前面カバー３１が閉じているか否かが判定される。前面カバー３１が閉じられている場合には、ステップＳ３に進み、記録動作を開始する。一方、前面カバー３１が開いている場合には、ステップＳ５に進む。
【００６８】
ステップＳ５では、主制御回路３１０によって、記録動作に関する指示又は情報がメモリ３０４に一時的に蓄えられる。次に、ステップＳ６に進み、操作パネル５０又はテレビ画面に所定のメッセージを表示する。例えば、「前面カバーが開いています。前面カバーを閉じると印刷を開始します。」等のメッセージを表示する。なお、テレビ７の画面にメッセージを表示する代わりに、又はメッセージ表示とともに、テレビ７のスピーカを通じてメッセージを音声にて通知するようにしてもよい。もちろん、他のオーディオ機器を利用して、メッセージ又は音声にて通知することも可能である。なお、前記ステップＳ４におけるメッセージ表示についても同様である。
【００６９】
ステップＳ６においてメッセージ表示を行った後は、ステップＳ７に進み、前面カバー３１が閉じられているか否かを判定する。前面カバー３１が閉じられている場合には、ステップＳ３に進み、記録動作を実行する。言い換えると、前面カバー３１が閉じられると、記録動作を開始する。
【００７０】
記録動作中に前面カバー３１が開かれると、主制御回路３１０は、キャリッジ１０２がホームポジションに移動するまで記録動作を継続させる。そして、キャリッジ１０２がホームポジションに到達した後は、記録動作を中断する。すなわち、キャリッジ１０２をホームポジションで待機させる。その後、前面カバー３１が再び閉じられると、記録動作を再開する。なお、前面カバー３１が開かれたときに、前述のステップＳ６と同様のメッセージを表示させるようにしてもよい。
【００７１】
主制御回路３１０は、いずれかのインクカートリッジ７５０にインク不足が生じると、操作パネル５０又はテレビ７の画面に、インク不足が生じたことを表示する。これにより、ユーザはインク不足が生じたことを容易に認識することができる。
【００７２】
インクカートリッジ７５０の交換は、前面カバー３１を開放して行われる。しかし、前面カバー３１を開放すると、ユーザは操作パネル５０を見ることができなくなる。そのため、複数のインクカートリッジ７５０のうちのいずれにインク不足が生じたかが分かりにくくなる。そこで、本プリンタ１では、インク不足が生じた場合に前面カバー３１が開放されると、どのインクカートリッジ７５０にインク不足が生じているかを表すメッセージ等をテレビ７の画面に表示させることとした。なお、どのインクカートリッジ７５０にインク不足が生じているかを表すメッセージ等を、テレビ７のスピーカを通じて音声で通知するようにすることも可能である。また、テレビ７の他に、他のオーディオ機器を使って通知するようにしてもよい。
【００７３】
以上のように、プリンタ１によれば、前面カバー３１が開いた状態で記録動作指令が入力されたとしても、そのまま直ちに記録動作を開始するのではなく、前面カバー３１が閉じられてから記録動作を行う。したがって、前面カバー３１が開いた状態のままキャリッジ１０２が往復移動することはないので、ユーザが開口３０からケーシング１０の内部に手を挿入したとしても、手とキャリッジ１０２とが衝突することはない。
【００７４】
また、前面カバー３１が開いた状態のままで記録動作が行われると、記録紙の排出が前面カバー３１によって邪魔され、ジャム（紙詰まり）を生じるおそれがある。しかし、プリンタ１によれば、そのようなジャムの発生を未然に防止することができる。
【００７５】
また、前面カバー３１を開いてインクカートリッジ７５０を交換しているときに、記録動作指令が誤って入力される可能性がある。しかし、プリンタ１によれば、前面カバー３１が開いているときには記録動作は開始されないので、インクカートリッジ７５０が取り外された状態のまま記録動作を行うおそれはなく、インク流路に空気が吸い込まれることを未然に防止することができる。
【００７６】
一方、プリンタ１によれば、前面カバー３１が開いた状態のときに入力された記録動作指令は、いったんメモリ３０４に蓄積され、前面カバー３１が閉じられたときに実行される。そのため、ユーザは、前面カバー３１を閉じた後に記録動作指令を再度入力する必要はなく、入力の手間を省くことができる。
【００７７】
プリンタ１によれば、排紙トレイ２２０が突出状態になると前面カバー３１の開放を阻止するリブ２５１を備えているので、排紙トレイ２２０が前方に引き出された状態で前面カバー３１が開かれることを防止することができる。したがって、排紙トレイ２２０と前面カバー３１との衝突を未然に回避することができ、装置の破損等を防止することができる。
【００７８】
また、プリンタ１によれば、前面カバー３１が開いた状態になると排紙トレイ２２０の前方への突出（前方への引き出し）を阻止するトレイロック用リブ２７２を備えているので、前面カバー３１が開いた状態で排紙トレイ２２０が引き出されることを防止することができる。したがって、排紙トレイ２２０と前面カバー３１との衝突を未然に回避することができ、装置の破損等を防止することができる。
【００７９】
プリンタ１では、記録動作中に前面カバー３１が開かれると、キャリッジ１０２がホームポジションに移動するまで記録動作は続行され、キャリッジ１０２がホームポジションに到達すると記録動作は中断される。ユーザがケーシング内に手を挿入したとしても、キャリッジ１０２がホームポジションに到達するまでの時間はユーザが前面カバー３１を開いてから手を挿入するまでの時間に比べて短いので、ユーザの手とキャリッジ１０２との衝突は防止される。一方、前面カバー３１を開くと同時に記録動作を中断する場合と異なり、キャリッジ１０２がホームポジションに到達するまでは記録動作を継続するので、その後の記録動作の再開を円滑に進めることができる。
【００８０】
プリンタ１をテレビ７との接続が自在に構成し、テレビ７の画面に所定のメッセージを適宜表示させることとしたので、プリンタ１の利便性を向上させることができる。特に、インクカートリッジ７５０にインク不足が生じた際には、どのインクカートリッジ７５０にインク不足が生じたかをテレビ７の画面に表示させることとしたので、前面カバー３１が開いているにも拘わらず、ユーザはインク不足の生じたインクカートリッジ７５０を容易に特定することができる。
【００８１】
前記実施形態では、前面カバー３１が開いた状態で記録動作が指示されると、前面カバー３１が閉じられるまでその指示を保持し、前面カバー３１が閉じられた後に記録動作を実行していた。しかし、前面カバー３１が閉じられた後であっても、排紙トレイ２２０が引き出されたことを確認してから記録動作を開始することが好ましい。そこで、主制御回路３１０は、前面カバー３１が開いた状態で記録動作が指示されると、前面カバー３１が閉じられ且つ排紙トレイ２２０が前方に引き出されるまでメモリ３０４においてその指示を保持し、前面カバー３１が閉じられ且つ排紙トレイ２２０が引き出されたときに、記録動作を実行することが好ましい。
【００８２】
前記実施形態では、排紙トレイ２２０が引き出されているときに前面カバー３１の開放を阻止するロック機構は、排紙トレイ２２０に設けられたリブ２５１であった（図４参照）。しかし、ロック機構はリブ２５１に限らず、他のものを利用することも可能である。
【００８３】
例えば、図１０に示すようなロック機構を用いてもよい。図１０に示すロック機構は、排紙トレイ２２０が前方に引き出されると前方に突出するロックピン２７１によって構成されている。本変形例では、排紙トレイ２２０を後方に押し込んで収納すると、それに伴ってロックピン２７１も後方に向かって引き込まれる。一方、排紙トレイ２２０が前方に引き出されると、ロックピン２７１は自動的に前方に突出する。突出したロックピン２７１は、前面カバー３１の底部と接触し、前面カバー３１の回動を阻止する。これにより、前面カバー３１はロックされる。
【００８４】
前記実施形態では、前面カバー３１の裏側に固定されたロック用リブ２７２によって、前面カバー３１が開放されているときの排紙トレイ２２０の引き出しを防止していた（図３参照）。しかし、排紙トレイ２２０の引き出しを防止するロック機構は、前記実施形態のものに限定される訳ではない。
【００８５】
次に、図１１〜図１４を参照しながら、前面カバー３１の開放時における排紙トレイ２２０の引き出しを阻止するロック機構の変形例について説明する。図１２に示すように、本ロック機構２８０においては、排紙トレイ２２０の取っ手２０５の左端に、ロック孔２６０が形成された係止片２５０が設けられている。図１１に示すように、ケーシング１０の内部には、排紙トレイ２２０が収納状態にあるときにロック孔２６０に挿入されるロックピン２６５が設けられている。
【００８６】
図１３に詳細に示すように、ロックピン２６５は、上下に細長い棒状体からなっている。ロックピン２６５の中途部には、上下に細長いスリット溝２６６が形成されている。ケーシング１０の内部には、スリット溝２６６に係合するロックピンガイド２６７が設けられている。したがって、ロックピン２６５は、ロックピンガイド２６７に案内されながら上下移動する。
【００８７】
ロックピン２６５の上側には、後方斜め下方向（図１３の右斜め下方向）に傾斜した傾斜面２６８が形成されている。前面カバー３１の裏側には、後方斜め上方向に傾斜した傾斜面を有し、ロックピン２６５の傾斜面２６８に摺接するロック解除ピン３２が形成されている。ロックピン２６５は、図示しないバネによって下向きに付勢されている。
【００８８】
図１４に示すように、前面カバー３１が開放されると、ロック解除ピン３２がロックピン２６５から離れ、ロックピン２６５はバネの付勢力によって下向きに移動する。その結果、ロックピン２６５の下端部は、排紙トレイ２２０の係止片２５０のロック孔２６０に挿入される。これにより、ロックピン２６５とロック孔２６０とが係合し、ロックピン２６５によって排紙トレイ２２０の引き出しは阻止される。
【００８９】
一方、図１３に示すように、前面カバー３１が閉鎖されると、それに伴ってロック解除ピン３２がロックピン２６５の傾斜面２６８に摺接し、ロックピン２６５を上方に引き上げる。その結果、ロックピン２６５は係止片２５０のロック孔２６０から引き抜かれ、排紙トレイ２２０のロックは解除される。
【産業上の利用可能性】
【００９０】
以上説明したように、本発明は、プリンタ等の記録装置について有用である。
【図面の簡単な説明】
【００９１】
【図１】プリンタの斜視図である。
【図２】テレビ用ラックに収納した状態のプリンタの斜視図である。
【図３】前面カバーを開いた状態のプリンタの斜視図である。
【図４】排紙トレイを引き出した状態のプリンタの斜視図である。
【図５】（ａ）及び（ｂ）は、用紙カセットの斜視図である。
【図６】プリンタの内部構成を示す斜視図である。
【図７】プリンタの設置例を示す概念図である。
【図８】制御回路のブロック図である。
【図９】プリンタの制御のフローチャートである。
【図１０】変形例に係るプリンタの斜視図である。
【図１１】変形例に係るプリンタの斜視図である。
【図１２】変形例に係るプリンタの斜視図である。
【図１３】ロック機構の変形例の断面構成図である。
【図１４】ロック機構の変形例の断面構成図である。
【符号の説明】
【００９２】
１      プリンタ（記録装置）
５      テレビ用ラック
７      テレビ（画像表示装置）
１０    ケーシング
３０    開口
３１    前面カバー
７１    開閉センサ（開閉検知手段）
７４    テレビ用出力回路（信号出力回路）
１００  記録機構
１０２  キャリッジ
２００  用紙カセット
２０６  給紙カセット
２２０  排紙トレイ
２５１  リブ（開閉禁止手段）
２７１  ロックピン
２７２  トレイロック用リブ（トレイ突出禁止手段）
２８０  ロック機構
３０１  主制御回路（制御手段）
７００  カートリッジホルダ
７５０  インクカートリッジ
【図１】
2005205647.tif 000003
【図２】
2005205647.tif 000004
【図３】
2005205647.tif 000005
【図４】
2005205647.tif 000006
【図５】
2005205647.tif 000007
【図６】
2005205647.tif 000008
【図７】
2005205647.tif 000009
【図８】
2005205647.tif 000010
【図９】
2005205647.tif 000011
【図１０】
2005205647.tif 000012
【図１１】
2005205647.tif 000013
【図１２】
2005205647.tif 000014
【図１３】
2005205647.tif 000015
【図１４】
2005205647.tif 000016